(57)【要約】【課題】前後開口の背フレームの背面に同じく前後開口の背面カバーを装着し成る背もたれにおいて、体圧による背フレームの撓み変形が背面カバーに波及して背面カバー１８が破損することを防止する。【解決手段】背面カバー１８のアッパーメンバーは背フレーム１７のアッパーメンバーに上下動不能に連結されている。背面カバー１８のサイドメンバー１８ａと背フレーム１７のサイドメンバー２０とは、サイド係合爪４５をサイド係合穴４７に嵌め込むことで前後離反不能に保持されている。サイド係合爪４５をサイド係合穴４７とは、互いに嵌まり合った状態を保持しつつ上下方向に相対動し得る。このため、背フレーム１７の撓み変形が吸収されて、背面カバー１８の破損を防止できる。【選択図】図１１
2014094212.tif 000002
【特許請求の範囲】
【請求項１】
背もたれを前後に開口した樹脂製背フレームにメッシュ材又はその他のサポート体が取り付けられた主要構成としており、前記背フレームの背面には当該背フレームと同様に前後に開口した樹脂製の背面カバーを後ろ向き離反不能に取り付けている構成であって、
前記背面カバーのうち少なくとも上部の左右中央部は前記背フレームの上端部に上下動不能に取り付けられた不動部と成しており、前記背面カバーのうち前記不動部を除いた部分は、前記背フレームに、着座者の体圧により前記背フレームが撓み変形したとき当該背フレームに対して上下方向に相対動し得るように遊びを持たせた状態で取り付けている、
背もたれ付き椅子。
【請求項２】
前記背フレームと背面カバーは、それぞれ上下長手の左右サイドメンバーと左右長手のアッパーメンバー及びロアーメンバーとを有しており、前記背面カバーのアッパーメンバーは、強制嵌合方式の係合爪と係合穴との組み合わせにより、背フレームのアッパーメンバーに対して上下動不能に取り付けられている一方、前記背面カバーのサイドメンバーとロアーメンバーとは、同じく強制嵌合方式の係合爪と係合穴との対により、前記背フレームのサイドメンバーとロアーメンバーとに対して上下方向に相対動し得る状態に取り付けられている、
請求項１に記載した背もたれ付き椅子。
【請求項３】
前記背面カバーのサイドメンバーには平面視鉤形のサイド係合爪を内向き突設している一方、前記背フレームのサイドメンバーには、前記背面カバーのサイド係合爪が弾性変形して係合するサイド係合穴が、平面視で外側に向けて開口した状態に形成されている、
請求項２に記載した背もたれ付き椅子。
【発明の詳細な説明】
【技術分野】
【０００１】
本件特許は、背もたれを備えた椅子に関するものである。
【背景技術】
【０００２】
椅子において背もたれは様々な構造が提案されてかつ実施されているが、１つのタイプとして、前後に開口した背フレームにメッシュ材を張った構造のものがあり、このメッシュ仕様の背もたれは通気性に優れている等の特徴がある。
【０００３】
メッシュ仕様の背もたれは、一般に、背もたれは背フレームにメッシュ材を取り付けただけの構成になっており、従って、背フレームの背面が後ろに露出したまになっている。そして、メッシュ材の取り付け手段としては、その周縁部を例えば背フレームの外周に形成した溝に嵌め込むなどしているが、この取り付け方法は、メッシュ材が外れ易くなる可能性があった。
【０００４】
他方、特許文献１には、前後に開口した金属製フレームに背面カバーを取り付けることが開示されており、この特許文献１の思想を利用してメッシュ材が取り付けられる背フレームの背面を背面カバーで覆うと、メッシュ材は背フレームの背面に様々な手段で固定できると共に、背フレームの背面にリブや穴等の造形が施されていても美粧上の問題はなく、従って、美粧機能を損なうことなくメッシュ材を強固に取り付けできると云える。
【先行技術文献】
【特許文献】
【０００５】
【特許文献１】特開２００８−３０２０６１号公報
【発明の概要】
【発明が解決しようとする課題】
【０００６】
さて、メッシュ仕様の背もたれにおいて背フレームを樹脂の成形品とすることは多いが、樹脂製の背フレームは着座者の体圧で若干ながら撓み変形する。そして、背フレームの背面に背面カバーを取り付けていると、背フレームの変形が背面カバーにも及ぶが、背面カバーは、背フレームをしっかり覆うように断面が前向き開口した溝型に形成することが多く、すると、背面カバーの剛性が高くなるため、背フレームの撓み変形によって背面カバーに許容限度を超えた曲げ力が作用して、背面カバーが割れたり亀裂が入ったりする問題が懸念される。
【０００７】
この点については、背面カバーを柔らかい樹脂で製造することや、撓み変形しやすい構造に設計変更することが考えられるが、樹脂の素材を変えると、強度が低下したり色あいが変わったりする問題があり、他方、構造は背フレームとの関係で決まるため、構造を変更することは非常に困難である。
【０００８】
本願発明は、かかる現状を改善すべく成されたものである。
【課題を解決するための手段】
【０００９】
本願発明は、各請求項で特定されている。このうち請求項１の発明は、背もたれを前後に開口した樹脂製背フレームにメッシュ材又はその他のサポート体が取り付けられた主要構成としており、前記背フレームの背面には当該背フレームと同様に前後に開口した樹脂製の背面カバーを後ろ向き離反不能に取り付けている構成において、前記背面カバーのうち少なくとも上部の左右中央部は前記背フレームの上端部に上下動不能に取り付けられた不動部と成しており、前記背面カバーのうち前記不動部を除いた部分は、前記背フレームに、着座者の体圧により前記背フレームが撓み変形したとき当該背フレームに対して上下方向に相対動し得るように遊びを持たせた状態で取り付けている。
【００１０】
請求項２の発明は、請求項１において、前記背フレームと背面カバーは、それぞれ上下長手の左右サイドメンバーと左右長手のアッパーメンバー及びロアーメンバーとを有しており、前記背面カバーのアッパーメンバーは、強制嵌合方式の係合爪と係合穴との組み合わせにより、背フレームのアッパーメンバーに対して上下動不能に取り付けられている一方、前記背面カバーのサイドメンバーとロアーメンバーとは、同じく強制嵌合方式の係合爪と係合穴との対により、前記背フレームのサイドメンバーとロアーメンバーとに対して上下方向に相対動し得る状態に取り付けられている。
【００１１】
請求項３の発明は請求項２の構成を具体化したもので、この発明では、前記背面カバーのサイドメンバーには平面視鉤形のサイド係合爪を内向き突設している一方、前記背フレームのサイドメンバーには、前記背面カバーのサイド係合爪が弾性変形して係合するサイド係合穴が、平面視で外側に向けて開口した状態に形成されている。
【００１２】
本願発明において、背フレームに取り欠けるサポート体としては、樹脂板に横長や縦長等のスリットを形成したもの、ネット状の形態の樹脂成形品、弾性変形可能な樹脂板（インナーシェル）にクッションを張ったものなど、様々の態様のものを採用できる。
【発明の効果】
【００１３】
本願発明によると、背フレームがその上端部を除いて上下方向の遊びを持った状態で背フレームに取り付けられていることにより、背フレームが樹脂製であることに起因して撓み変形しても、その撓みがそのまま背フレームに作用することを防止できるため、背面カバーが破損したり亀裂が入ったりすることを、材質を変更したり背面カバー自体を設計変更したりすることなく、簡単に防止することができる。
【００１４】
背フレームの変形を逃がす方法として、背フレームの下端を背フレームに上下動不能に取り付けて、背面カバーを下端よりも上において背フレームに対して相対動させることと、背フレームの上下中間部を背フレームに上下動不能に取り付けて、背面カバーを上部と下部との両方において背フレームに相対動させることと、背面カバーの全体が背フレームに対して相対動するように取り付けることとが考えられるが、いずれにしても、背面カバーの上端と背フレームの上端との間のずれ移動があると、見た場合に非常に見苦しくなる。
【００１５】
この点、本願発明では、背面カバーの上部のうち少なくとも左右中間部は背フレームに上下動不能に取り付けられた不動部となっているため、着座者の凭れ掛かりによって背フレームが撓み変形しても、背面カバーと背フレームとの相対動による食い違いが人目に触れることは全くまた又は殆どなく、このため美感に優れた椅子とすることができる。
【００１６】
背面カバーを背フレームに取り付ける手段は様々であるが、背面カバーの機能を的確に発揮させるには、ねじ止めのような手段ではなく、請求項２のように、背面カバーに係合爪を設けてこれを背フレームに設けた係合穴に嵌め込むという強制嵌合方式を採用すると、取り付けをワンタッチ的に簡単にできる利点である。
【００１７】
請求項２のように係合爪と係合穴との強制嵌合方式とした場合、背フレームに係合穴を前後方向や左右方向に貫通した状態に形成することも可能ではあるが、かくすると、背フレームの強度が低下し、着座者の体圧による荷重が係合穴の箇所に集中して破損し易くなる可能性がないとも言えない。
【００１８】
この点、請求項３の構成を採用すると、サイド係合穴は貫通方式でなくて外向きに開口しているため、背フレームの強度低下を防止できる。従って、請求項３の構成では、背フレームは、太さを大きくするような特別の対策を講じることなく、背フレームの強度を損なわずに背面カバーを背フレームに簡単に取り付けることができる。
【図面の簡単な説明】
【００１９】
【図１】実施形態に係る椅子を示す図で、（Ａ）は全体の斜視図，（Ｂ）は座クッションと背のメッシュ材とを取り外した状態の斜視図である。
【図２】（Ａ）は椅子の大まかな分離斜視図、（Ｂ）は背もたれの支持機構を示す斜視図である。
【図３】背もたれの支持機構を示す図で、（Ａ）は分離斜視図、（Ｂ）は下方から見た斜視図である。
【図４】（Ａ）は背面カバーを分離した斜視図、（Ｂ）は背もたれの組み立て後の斜視図、（Ｃ）は背もたれの側部の平断面図である。
【図５】背フレームの取り付け構造を示す図で、（Ａ）は下から見た分離斜視図、（Ｂ）は上から見た分離斜視図である。
【図６】背フレームと背面カバーとの分離斜視図である。
【図７】背フレームと背面カバーとの分離斜視図である。
【図８】背フレームと背面カバーとの分離斜視図である。
【図９】背フレームと背面カバーとを並べた図である（背フレームは裏返している。）。
【図１０】（Ａ）は背もたれを図９の XA-XA視線で見た断面図、（Ｂ）は背もたれを図９の XB-XB視線で見た断面図である。
【図１１】（Ａ）は背面カバーと背フレームとのサイドメンバーを並べた図（背フレームは裏返している）、（Ｂ）は背面カバーの破断斜視図、（Ｃ）は背フレームの破断斜視図である。
【図１２】（Ａ）は背もたれを図１１（Ａ）の XIIA-XIIA視線で見た平断面図、（Ｂ）は背もたれを図１１（Ａ）の XIIA-XIIA視線で見た平断面図である。
【図１３】背もたれを図９の XIII-XIII視線で見た断面図である。
【発明を実施するための形態】
【００２０】
(1).第１実施形態の概要
次に、本願発明の実施形態を図面に基づいて説明する。まず、第１実施形態の概要を主として図１〜図５に基づいて説明する。本実施形態はオフィスで事務用等に多用されている回転椅子に適用しており、椅子は、脚装置１と座２と背もたれ３とを有している。図１のとおり、脚装置１は、ガスシリンダよりなる脚支柱４と放射状に延びる複数本の枝足５とを有しており、各枝足５の先端にはキャスタを設けている。
【００２１】
図２，３のとおり、脚支柱４の上端には上向きに開口したベース６が固定されており、ベース６に、座２を構成する座板（座インナーシェル）７がねじで固定されている。座板７の上面には座クッション（図示せず）が張られており、座クッションは張地で覆われている。座インナーシェル７は樹脂製であり、図２のとおり、概ね前後中間部に左右横長の溝部８を形成して、この溝８に左右横長の鋼板製補強板９を嵌め込んでいる。補強板９は、肘掛け装置（図示せず）を取り付けるためのものである。
【００２２】
ベース６の左右外側には丸パイプ製の支持アーム１０が配置されており、支持アーム１０の後端に背もたれ３が取り付けられている。支持アーム１０は、その前端部を中心にして後傾動するように左右横長の軸１１でベース６に連結されており、支持アーム１０の後傾動は、ベース６の後部のばね受け凹所１２に配置したコイルばね（図示せず）で弾性的に支持される。従って、本実施形態の椅子はロッキング椅子である。
【００２３】
図３に示すように、左右の支持アーム１０はばね受け凹所１２の下方位置においてステー１３で連結されており、ステー１３の下面にばねの初期弾性力を調節するためのハンドル１４を配置している。また、支持アーム１０には、これを隠す下カバー１５が下方から嵌め込まれている。なお、図３（Ａ）に示す符号１６は脚支柱４の上端部が嵌着したブッシュであり、ブッシュ１６はベース６に溶接されている。
【００２４】
例えば図４に示すよう、背もたれ３は、強度メンバーとしての背フレーム１７とその裏側に配置した背面カバー１８とを有しており、背フレーム１７には、着座者の身体を受けるサポート体の一例としてメッシュ材１９が張られている。従って、背もたれ３は背フレーム１７とメッシュ材１９とを必須の要素としている。背面カバー１８は樹脂の成形品である。
【００２５】
背フレーム１７は前後に開口した形態であり、上下長手の左右サイドメンバー２０と、左右サイドメンバー２０の上端に繋がった左右横長のアッパーメンバー２１と、左右サイドメンバー２０の下端に傾斜部２２を介して繋がった左右横長のロアーメンバー２３とで構成されている。傾斜部２２は、サイドメンバー２０の一部と見ることもロアーメンバー２３の一部と見ることもできるし、独立した部分と見ることもできる。ここでは、独立した部分として扱うこととする。
【００２６】
背フレーム１７は樹脂製であり、背面に露出した多数の補強リブ２４を設けている（多数の穴が開いていると見ることも可能である。）。サイドメンバー２０は、下に行くに従って横幅が僅かずつ大きくなっており、傾斜部２２とロアーメンバー２３との正面視での幅寸法は、アッパーメンバー２１の幅寸法よりかなり大きくなっている。
【００２７】
また、背フレーム１７の背面のうち外周寄りの部位には平坦部１７ａを設けており、この平坦部１７ａにメッシュ材１９の周縁をタッカーで固定している。例えば図５に明示するように、平坦部１７ａの内周は後ろ向きに突出した外壁１７ｂで区画されている一方、背フレーム１７の内周は内壁１７ｃで構成されており、内壁１７ｃと外壁１７ｂとの間の溝に多数の補強リブ２４を設けている。
【００２８】
或いは、外壁１７ｂと内壁１７ｃとの間の部分がランド部になっていて、これに多数の穴（溝）が形成されているということも可能である。サイドメンバー２０とアッパーメンバー２１の箇所では、内壁１７ｃの高さは外壁１７ｂの高さよりも低くなっている。ロアーメンバー２３の箇所では、内壁１７ｃと外壁１７ｂとの高さは概ね同じ寸法に設定している。
【００２９】
図４（Ｃ）に一部を示すように、背フレーム１７のサイドメンバー２０の箇所では、背面カバー１８に前向きの爪２５を設けて、これを背フレーム１７に設けた係合穴２６に嵌め込み係合している。背面カバー１８の上部と下部も係合爪が形成されていて、これらが背フレーム１７に係合している。また、図示していないが、背面カバー１８の上部には位置決めのための前抜き突起を設けて、これを背フレーム１７のアッパーメンバー２１に設けた位置決め穴に嵌め込んでいる。
【００３０】
例えば図６（Ｂ）に示すように、左右支持アーム１０の後部は上向きに立ち上がった起立部になっており、この起立部に、背支持体の一例としての金具２８を溶接で固定している。金具２８は左右横長であり、背フレーム１７のロアーメンバー２３と傾斜部２２とに後ろから重なっている。左右の支持アーム１０は背フレーム１７のロアーメンバー２３と傾斜部２２との境界部に位置しており、このため、金具２８のうち支持アーム１０の外側にはみ出た部分は、正面視で外側に向けて高くなるように傾斜している。
【００３１】
また、金具２８は背フレーム１７の内壁１７ｃと外壁１７ｂとの間の溝に嵌まっており、リブ２４も金具２８が嵌まる箇所では浅くしている。このため、背フレーム１７の下部には、金具２８が嵌まる凹所２９が後ろ向きに開口した状態に形成されている。図６に示すように、背フレーム１７の外壁１７ｂには支持アーム１０が嵌入する切り開き溝３０を形成している。金具２８は支持アーム１０の半周程度に被さっており、このため、半円状の溝状部２８ａが左右に形成されている。また、金具２８には、左右横長の補強リブ３１を膨出形成している。
【００３２】
例えば図５に示すように、金具２８は、左右中間部の上部とその左右外側の下部と左右端部との合計５箇所において背フレーム１７にビス（ねじ）３２及びナット３３（図１３参照）で固定されている。このため、背フレーム１７には５カ所の締結部３４が形成されており、締結部３４の前面にはナットが嵌まる座繰り穴（図示せず）を形成している。
【００３３】
金具２８のうち左右支持アーム１０の間の部分は平面視で左右横長の姿勢になっているが、支持アーム１０の左右外側の部分は平面視で外に行くほど後ろにずれように傾斜しており、そこで、各ビス３２の軸線を前後方向に向かう姿勢とするため、金具２８の左右端部には後ろ向きに突出した押し曲げ部２８ｂを形成している。
【００３４】
(2).背フレーム及び背面カバーの詳細
次に、図６以下の図面も参照して背フレーム１７と背面カバー１８との詳細を説明する。背面カバー１８は背フレーム１７とほぼ相似形であり、このため、背面カバー１８も、サイドメンバー１８ａとアッパーメンバー１８ｂと傾斜部１８ｃとロアーメンバー１８ｄとを有している。また、例えば図１２のとおり、背面カバー１８の内周は背フレーム１７の内側に位置した前向きの内壁１８ｅで構成されており、内壁１８ｅの外側（基部）は後ろ向きに脹れた状態に緩く湾曲した断面形状になっている。背面カバー１８の外端が背フレーム１７の平坦部１７ａに当接している。
【００３５】
図１０に示すように、背フレーム１７のアッパーメンバー２１は上に行くほど前後幅が小さくなる断面形状であり、かつ、前面は上に行くに従って後ろにずれるように緩い曲面を持って後傾している。
【００３６】
そして、例えば図６に示すように、アッパーメンバー２１のうち左右中間部を挟んだ左右両側に、円形の第１アッパー係合穴４０とその外側に位置した略角形の第２アッパー係合穴４１とが形成されている一方、背面カバー１８には、第１アッパー係合穴４０に嵌まる第１アッパー係合爪４２と、第２アッパー係合穴４１に嵌まる第２アッパー係合爪４３とを後ろ向きに突設している。第２アッパー係合穴４１と第２アッパー係合爪４３とはサイドメンバー２０，１８ａに近い端部に位置している。
【００３７】
図１０（Ａ）に示すように、第１アッパー係合穴４０には上下の係合段部４０ａが形成されている一方、第１アッパー係合爪４１は、係合段部４０ａに引っ掛かり係合するように茸状に形成されている。第１アッパー係合爪４１は第１アッパー係合穴４０への嵌入を許容するため上下２つ割り形状になっているが、第１アッパー係合爪４１に入り込むと基本的に変形はせず、第１アッパー係合爪４１にはきっちり嵌まり込んでいる。従って、背面カバー１８のアッパーメンバー１８ｂの大部分は、背フレーム１７のアッパーメンバー２１に対して上下動不能に保持されている。
【００３８】
第２アッパー係合爪４３は水平方向に広がる舌状の形態でかつ下向き鉤状になっており、第２アッパー係合穴４１には、第２アッパー係合爪４３が引っ掛かり係合する係合段部４１ａを形成している。背面カバー１８のアッパーメンバー１８ｂには、第２アッパー係合爪４３の上に位置して第２アッパー係合穴４１に嵌入しているアッパー補助片４４を前向き突設している。アッパー補助片４４は第２アッパー係合穴４１の上内面よりも若干の寸法だけ下に位置しており、このため、背フレーム１７のアッパーメンバー２１は、その左右端部が背面カバー１８のアッパーメンバー１８ｂに対して僅かながら下向き動することが許容されている。
【００３９】
例えば図９から理解できるように、第２アッパー係合爪４３とアッパー補助片４４とは、両アッパーメンバー１８ｂ，２２の姿勢に倣って正面視で外側が低くなるように傾斜しており、このように両アッパーメンバー１８ｂ，２２の姿勢に揃えた第２アッパー係合爪４３とアッパー補助片４４をアッパーメンバー１８ｂの左右端部に設けたことにより、第２アッパー係合爪４３とアッパー補助片４４とを大型化することなく、背フレーム１７のねじれ変形等に対する追従性を高くしている。
【００４０】
つまり、例えば着座者が身体を右又は左にずらして背もたれ３に凭れ掛かることがあり、このため背フレーム１７には平面視でねじるような外力が作用することがあるが、第２アッパー係合爪４３とアッパー補助片４４はアッパーメンバー１８ｂの左右端部に設けているため、背フレーム１７の上コーナー部と背面カバー１８の上コーナー部とは前後に離反することなく一体性が保持されるのであり、かつ、第２アッパー係合爪４３とアッパー補助片４４とが両アッパーメンバー１８ｂ，２２と同じ姿勢になっているため、第２アッパー係合爪４３とアッパー補助片４４とが第２アッパー係合穴４１にしっかり係合した状態を保持しつつ、両アッパーメンバー１８ａ，２２がその長手方向及び上下方向に相対動する（ずれ動くこと）が許容されているのであり、その結果、背フレーム１７のねじれ変形がそのまま背面カバー１８に及ぶことを防止できるのである。
【００４１】
本実施形態では、背面カバー１８のアッパーメンバー１８ｂのうち左右中央部が背フレーム１７に対して上下動不能に保持された不動部になっているが、アッパーメンバー１８ｂの全体を背フレーム１７のアッパーメンバー２２に対して上下動不能な不動部と成すことも可能である。また、本実施形態では、背面カバー１８と背フレーム１７とのアッパーメンバー１８ｂ，２２はその端部において極く僅かながら上下方向に相対動し得るが、その相対動は僅かであって殆ど視認し難いので、美感を悪化させるようなことはない。
【００４２】
また、実施形態の背フレーム１７を成形するに当たっては、その表面側と裏面側とに位置する一対の金型をメイン型として、両メイン型を密着・離反させて成形と型抜きとを行うが、図１０から理解できるように、第１アッパー係合穴４０と第１アッパー係合穴４０とは、図１０の状態で上下動するスライド型を使用することで下向きに開口した状態に形成しており、このため、背フレーム１７のアッパーメンバー２１には前向きの穴は空いておらずにアッパー係合爪４２，４３及びアッパー補助片４４が手前に露出することはない。このため、サポート体がメッシュ材１９のように透けて見える材料から成っていても、係合穴４０，４１等が手前から見えて美感を害するようなことはない。
【００４３】
背フレーム１７のサイドメンバー２０は、内側に行くほど前後幅が大きくなっている。また、前面は、内側に行くほど後ろにずれるように湾曲しつつ傾斜している。他方、図６〜図９，図１１に示すように、背面カバー１８のサイドメンバー１８ａに、サイド係合爪４５とサイド補助片４６との対が上中下の３箇所に形成されている。他方、背フレーム１７のサイドメンバー２０には、サイド係合爪４５とサイド補助片４６との対が嵌まる３段のサイド係合穴４７が形成されている。図１１（Ｃ）や図１２（Ａ）に示すように、サイド係合穴４７は左右外向きに開口した状態に形成されている。従って、サイド係合穴４７は、サイドメンバー２０を貫通していない。
【００４４】
背面カバー１８のサイド係合爪４５はサイド補助片４６の内側に位置しており、平面視で内向き鉤状になっている。そして、サイド係合穴４７の奥部に、サイド係合爪４５の鉤部が引っ掛かり係合する係合段部４７ａを形成している。従って、背面カバー１８を後ろから背フレーム１７に重ねて押し付けると、サイド係合爪４５は、いったん逃げ変形してから戻り変形してその鉤部が係合段部４７ａに嵌まり込む。
【００４５】
図１１（Ｂ）に明示するように、サイド係合爪４５の上下幅寸法Ｅ１はサイド補助片４６の上下幅寸法Ｅ２よりも小さく、かつ、サイド補助片４６はサイド係合爪４５の上下外側にある程度の寸法Ｅ３だけはみ出ている。そして、サイド係合穴４７には、サイド補助片４６の上部と下部とを外向き移動不能に保持する補助段部４７ｂを形成している。従って、背面カバー１８のサイドメンバー１８ａは、背フレーム１７のサイドメンバー２０に対して左右動不能に保持されている。
【００４６】
サイド係合穴４７の係合段部４７ａは、上下の補助段部４７ｂの間に位置している。これは、成形に際しての型抜きのためである。すなわち、背面カバー１８は、図１２（Ａ）に矢印Ｘ方向に相対動する２つのメイン型（固定型と可動型）を主要型として成形されるが、一方のメイン型（一般に固定型）に、Ｘ方向と直交したＹ方向にスライドするスライド型を装着し、スライド型によって係合段部４７ａを形成しているのであり、このため、スライド型の上と下とに補助段部４７ｂが形成されている。
【００４７】
また、サイド係合段部４７ａの上下幅寸法Ｅ４はサイド係合爪４５の上下幅寸法Ｅ１より大きいと共に、サイド係合段部４７ａの上下に隙間があり、かつ、サイド係合穴４７の最大上下幅寸法Ｅ５はサイド補助片４６の上下幅寸法Ｅ２よりも大きくて、サイド補助片４６の上下両側には隙間が開いている。すなわち、サイド係合爪４５及びサイド補助片４６とサイド係合穴４７との間に、上下方向の遊びを設けている。
【００４８】
従って、サイド係合爪４５及びサイド補助片４６がサイド係合穴４７に嵌まった状態を保持しつつ、背フレーム１７のサイドメンバー２０と背面カバー１８のサイドメンバー１８ａとが若干の寸法ながら相対的に上下動し得る。図１１（Ｂ）に明示するように、サイド補助片４６には、左右方向の曲がり変形を抑制するためリブ４６ａを設けている。また、サイド係合爪４５の付け根にも、曲がり変形を抑制するための上下のリブ４５ａを設けている。
【００４９】
図９に明示するように、最下端に位置したサイド係合爪４５及びサイド補助片４６は正面視で背面カバー１８の傾斜部１８ｃと同じ姿勢に傾斜している。このため、背フレーム１７が平面視でねじられるように変形しても、背面カバー１８の傾斜部１８ｃが背フレーム１７の傾斜部２２から離反することを防止しつつ、両傾斜部１８ｃ，２２がその長手方向や上下方向に相対動することを許容して、背フレーム１７の撓み変形が背面カバー１８にそのまま波及することを防止できる。
【００５０】
例えば図７に示すように、背面カバー１８におけるロアーメンバー１８ｄにはロアー係合爪４９を前向き突設している一方、背フレーム１７のロアーメンバー２３には、ロアー係合爪４９が嵌まり係合するロアー係合穴５０を設けている。図１３に明示するように、ロアー係合爪４９は側面視で上向き鉤状に形成されており、ロアー係合穴５０の上内面には、ロアー係合爪４９の鉤部が引っ掛かり係合する係合段部５０ａを形成している。
【００５１】
背面カバー１８のロアーメンバー１８ｄには、ロアー係合爪４９とセットでロアー補助片５１を設けている。ロアー補助片５１は単なる舌状の形態であり、ロアー係合爪４９の下に位置していてロアー係合穴５０に嵌まっている。ロアー係合爪４９とロアー補助片５１とは、前向きのボス部５２を介して背面カバー１８のロアーメンバー１８ｄに形成されている。また、背フレーム１７のロアー係合穴５０もロアーメンバー２３から後ろ向き突出した枠状体５３に形成している。
【００５２】
ロアー係合爪４９とロアー補助片５１は前後に長い板状の形態であり、このため上下に撓み変形し得る。このため、背フレーム１７のロアーメンバー２３と背面カバー１８のロアーメンバー１８ｄとは、前後離反不能に保持されつつ若干の寸法だけ上下に相対動し得る。すなわち、ロアー係合爪４９及びロアー補助片５１とロアー係合穴５０との間には、上下方向の遊びを設けている。図１３４のとおり、背面カバー１８におけるロアーメンバー１８ｅの上端縁に下向きの補助爪５６を設けて、これを背フレーム１７のロアーメンバー２３に設けた上向き開口の補助係合穴５６に嵌め込んでいる。背フレーム１７の撓み変形に際して、補助穴５７は補助爪５６から逃げ勝手になっており、従って、ここでもロアーメンバー１８ｄ，２３の間に遊びが存在している。
【００５３】
なお、図６に示すように背面カバー１８のアッパーメンバー２１の左右中間部には横長小判形の透かし穴５４が開いているが、この透かし穴５４はハンガー固定金具を取り付けるためのものである。すなわち、ハンガー固定金具が背フレーム１７のアッパーメンバー２１に固定されようになっており、ハンガー固定金具は背面カバー１８の透かし穴５４から外向きに突出して、これにハンガーが固定されるのである。図４に示すように、ハンガーを取り付けない状態では、透かし穴５４はキャップ５５で塞がれる。
【００５４】
以上の説明から理解できるように、背面カバー１８のアッパーメンバー１８ｂとベース６背フレーム１７のアッパーメンバー２１とは上下動不能に連結されているが、両者のサイドメンバー２０，１８ａとロアーメンバー２３，１８ｄは、前後に離反不能に保持された一体性を保持しつつ上下方向に相対動し得るため、着座した人の体圧で背フレーム１７が撓み変形しても、その変形が背面カバー１８に曲げ力として強く作用することはなく、その結果、背面カバー１８が前向き開口した変形し難い構造であっても、背面カバー１８が破損したり亀裂が入ったりすることはない。
【００５５】
また、背フレーム１７の撓み変形によって離反しやすいコーナー部の近傍に係合爪が配置されているため、既述のとおり、背フレーム１７がねじれ変形しても、背面カバー１８をその全周に亙って背フレーム１７に密着させた状態を保持しつつ、背面カバー１８と背フレーム１７とを相対動させることができるのであり、このため、背フレーム１７の動きに対する背面カバー１８の追従性を確保しつつ、背面カバー１８の破損を的確に防止できる。
【００５６】
背フレームへの背面カバーの取り付け手段は、様々の態様を採用できる。実施形態のように係合爪や補助片を背面カバーに一体成形することに代えて、係止具を使用することも可能である。
【産業上の利用可能性】
【００５７】
本願発明は、実際に具体化できる。従って、産業上利用できる。
【符号の説明】
【００５８】
１  脚装置
２  座
３  背もたれ
６  ベース
１０  支持アーム
１７  背フレーム
１８  背面カバー
１８ａ  背面カバーのサイドメンバー
１８ｂ  背面カバーのアッパーメンバー
１８ｃ  背面カバーの傾斜部
１８ｄ  背面カバーのロアーメンバー
１８ｅ  背面カバーの内壁
１９  メッシュ材
２０  背フレームのサイドメンバー
２１  背フレームのアッパーメンバー
２２  背フレームの傾斜部
２３  背フレームのロアーメンバー
３９  第１アッパー係合爪
４０  第１アッパー係合爪
４１  第２アッパー係合爪
４２  第１アッパー係合穴
４３  第２アッパー係合穴
４４  アッパー補助片
４５  サイド係合爪
４６  サイド補助片
４７  サイド係合穴
４９  ロアー係合爪
５０  ロアー係合穴
５１  ロアー補助片
【図１】
2014094212.tif 000003
【図２】
2014094212.tif 000004
【図３】
2014094212.tif 000005
【図４】
2014094212.tif 000006
【図５】
2014094212.tif 000007
【図６】
2014094212.tif 000008
【図７】
2014094212.tif 000009
【図８】
2014094212.tif 000010
【図９】
2014094212.tif 000011
【図１０】
2014094212.tif 000012
【図１１】
2014094212.tif 000013
【図１２】
2014094212.tif 000014
【図１３】
2014094212.tif 000015